(57)【特許請求の範囲】
【請求項１】
ボンディングワイヤが巻回された円筒状のスプールを内部に収納保持するスプールケースであって、スプールの一端開口部を嵌合保持するスプール保持部を有する底板部と、該スプール保持部の外側に配置され、嵌合保持されたスプールとほぼ同じ高さの保護周壁部とを備えたケース本体が、外側から熱収縮フィルムが収縮シールしたカバーにより覆われていることを特徴とするボンディングワイヤ用スプールケース。
【請求項２】
前記ケース本体において、スプール保持部を有する底板部と保護周壁部とが一体に形成されていることを特徴とする、請求項１に記載のボンディングワイヤ用スプールケース。
【請求項３】
前記ケース本体において、スプール保持部を有する底板部と保護周壁部とが別体に形成されていて、該底板部の表面に保護周壁部を固定するための係止溝が設けてあることを特徴とする、請求項１に記載のボンディングワイヤ用スプールケース。
【請求項４】
前記カバーは透明又は半透明の熱収縮フィルムからなることを特徴とする、請求項１に記載のボンディングワイヤ用スプールケース。
【請求項５】
前記カバーには、開封用ミシン目を設けるか又は開封用テープが接着してあることを特徴とする、請求項１〜４のいずれかに記載のボンディングワイヤ用スプールケース。
【発明の詳細な説明】
【０００１】
【発明の属する技術分野】
本発明は、半導体素子の電極と外部リードとの結線に用いるボンディングワイヤを収納保持するためのスプールケースに関する。
【０００２】
【従来の技術】
従来から、ボンディングワイヤは円筒状のスプールに多層に巻かれ、スプールケース内に収納した状態で、移送及び保管されている。一方、ワイヤボンディング時には、スプールケースからボンディングワイヤをスプールごと人手により取り出している。
【０００３】
従来のスプールケースは、例えば実開昭５４−１０３７４７号公報や特開平７−８６３２６号公報等に記載されるように、プラスチックを成形して形成した容器本体１と蓋体２とで構成されている。この容器本体１に蓋体２を嵌合固定することにより、その内部にスプールに巻回したボンディングワイヤをほぼ気密状態に収納保持するようになっている。
【０００４】
具体的には、例えば図９及び図１０に示すように、容器本体１は１枚のプラスチックシートを成形したものであり、略正方形の底板部４と、その上に隆起して形成された突出外縁部３とを備えると共に、底板部４のほぼ中央部にスプールの一端開口部を嵌合保持するスプール保持部６ａが隆起して形成してある。一方、蓋体２は周壁部５を有し、この周壁部５が容器本体１の突出外周部３に嵌合することにより、蓋体２が容器本体１に固定されるようになっている。
【０００５】
尚、蓋体２の天井部内側には底板部４のスプール保持部６ａよりも小径のスプール保持部６ｂが設けてあり、スプールの他端開口部を挿入してガイドすると共に、蓋体２を開けたときスプールが底板部４のスプール保持部６ａに保持されるようになっている。また、底板部４の突出外縁部３は一部が円弧状をなし、その近傍で外側に突き出た底板部４の部分は指先で保持するための保持片４ａ、４ａとなっている。
【０００６】
【発明が解決しようとする課題】
上記スプールケース内に収納されたスプールを取り出す際には、片方の手で容器本体１の保持片４ａ、４ａを保持しながら、もう一方の手で蓋体を掴んで両者を引き離していた。しかし、容器本体１と蓋体２はほぼ気密状態に嵌合固定されているため、引き離しが容易ではなく、強い力を必要とするうえ、蓋体２を開けた時の反動でスプールが飛び出し、それに巻かれているボンディングワイヤが損傷する事態も稀ではあるが起きていた。
【０００７】
特に、ケース本体や蓋体がプラスチック製であるため、成形時の仕上がり寸法のバラツキがあるうえ、繰返し使用による磨耗、変質、変形、劣化などにより容器本体と蓋体の組合せに寸法が変わりやすい。そのため容器本体と蓋体の嵌合力ないし係止力が一定せず、蓋体の取り外し時の反動が大きくなり、スプールが飛び出して脱落することがあった。
【０００８】
また、図１１に示すように、容器本体１は両端部の保持片４ａ、４ａを中心に把持されるのに対して、蓋体２は通常その中央部を掴むことになるので、蓋体２は容器本体１に対して垂直上方に引き上げられるのではなく、ある角度をもって斜めに引き上げられることが多かった。このように蓋体２が容器本体１に対して斜めに引き離されると、蓋体２の下端縁が容器本体１に保持されているスプール１０に巻き付けたボンディングワイヤ（図示せず）に接触し、その表面を傷つけやすいという問題があった。
【０００９】
尚、スプールケースは比較的変形しやすいプラスチックであるため、嵌合状態で突出外縁部３よりも若干上方の蓋体２の周壁部４を指で押して変形させ、滑らせるように蓋体２を引き離すことも行われてきた。しかしながら、この方法は、蓋体２を強く押しすぎると内部に収納されているボンディングワイヤを誤って損傷させる危険があるため望ましい方法とは言い難い。
【００１０】
更には、上記した蓋体２を斜め方向に引き離す操作や、蓋体２の周壁部４を押して引き離す操作は、突出外縁部３や周壁部４に無理な力が働くため、容器本体１や蓋体２の寿命を縮めやすく、繰返し使用できる期間が短くなるなどの問題もあった。
【００１１】
また、蓋体は比確的厚い無色透明プラスチックシートを真空熱成形して形成されるが、繰返し使用による傷などで透明度が劣化するため、内容物であるボンディングワイヤの視認性が次第に低下するという問題があった。尚、スプールケースの外観のみから、ボンディングワイヤの種類を識別することは困難である。
【００１２】
本発明は、このような従来の事情に鑑み、スプールを取り出す際に強い力を必要とせず簡単に、しかも巻回されたボンディングワイヤを損傷することなく安全に取り出すことができるうえ、内容物の良好な視認性及び識別性を有するスプールケースを提供することを目的とする。
【００１３】
【課題を解決するための手段】
上記目的を達成するため、本発明が提供するボンディングワイヤ用スプールケースは、ボンディングワイヤが巻回された円筒状のスプールを内部に収納保持するスプールケースであって、スプールの一端開口部を嵌合保持するスプール保持部を有する底板部と、該スプール保持部の外側に配置され、嵌合保持されたスプールとほぼ同じ高さの保護周壁部とを備えたケース本体が、外側から熱収縮フィルムが収縮シールしたカバーにより覆われていることを特徴とする。
【００１４】
上記本発明のボンディングワイヤ用スプールケースは、前記ケース本体において、スプール保持部を有する底板部と保護周壁部とが一体に形成されていることを特徴とする。また、前記ケース本体において、スプール保持部を有する底板部と保護周壁部とが別体に形成されていて、該底板部の表面に保護周壁部を固定するための係止溝が設けてあることを特徴とする。
【００１５】
また、上記本発明のボンディングワイヤ用スプールケースにおいては、前記カバーは、透明又は半透明の熱収縮フィルムからなることを特徴とする。更に、前記カバーには、開封用ミシン目を設けるか又は開封用テープが接着してあることを特徴とする。
【００１６】
【発明の実施の形態】
本発明のボンディングワイヤ用スプールケースでは、従来のケースに使用されていたプラスチック製の蓋体に代えて、可撓性が高く、ケース本体の寸法や形状に沿う自由度を有する熱収縮フィルムを用い、これを収縮シールさせてケース本体を覆うカバーとする。一方、ケース本体の外周縁にはスプールの高さとほぼ同じ高さを有する保護周壁部を設けてあるので、上記カバーによりボンディングワイヤを巻回したスプールの他端を押さえて確実に保持することができる。
【００１７】
このように構成した本発明のスプールケースにおいては、ケース本体のスプール保持部にボンディングワイヤが巻回されたスプールを嵌合保持した後、これらの全体を外側から熱収縮フィルムで包み込み、適度な温度に加熱して熱収縮フィルムを収縮させると同時に、ケース本体に密着シールさせる。このようにして熱収縮フィルムが収縮シールして得られたカバーは、保護周壁部の上端開口を閉鎖することによりスプールをケース内に保持することができ、同時にケース内をほぼ気密状態に維持することができる。
【００１８】
かかる熱収縮フィルムとしては、食品の包装や飲料容器の集積包装等に広く使用されているものを用いることができ、中でも高強度で収縮性及び透明性に優れたポリエチレン系、ポリオレフィン系等が好ましい。また、これらの熱収縮フィルムは、一般的に１２０〜１３０℃程度の熱を加えることで収縮し、ケース本体の形状にフィットすると共に、フィルム端部を重ね合わせて加熱することで気密にシールすることができる。
【００１９】
スプールケースの開封時には、カバーが薄い熱収縮フィルムからなるため、手で容易に剥離又は切断することができる。従って、巻回されたボンディングワイヤを損傷することなく、ボンディングワイヤをスプールごと安全に取り出すことができる。尚、ケース本体は繰返して使用することができる。
【００２０】
カバーの取り外しを更に容易にするため、予め熱収縮フィルムに開封用ミシン目を設けるか、若しくは開封用テープを接着しておくことも可能である。この場合には、開封用ミシン目に沿ってカバーを切断し、又は開封用テープを引っ張ることによって、更に容易で安定した開封が可能となる。
【００２１】
また、カバーとなる熱収縮フィルムとして、透明又は半透明のものを使用すれば、従来のプラスチック製の蓋体に比べて厚さが薄く透明度が高いので、内部に収納されたボンディングワイヤやスプールを視認しやすく、その種類等の識別も容易である。更に、着色した熱収縮フィルムを使用すれば、ボンディングワイヤの種類ごとにカバーの色を変えて対応することができ、製品種別等の識別がより一層容易になる。
【００２２】
【実施例】
実施例１
図１にケース本体をカバーで密封したスプールケースの断面図、及び図２にそのケース本体の斜視図を示す。このケース本体１１は、１枚のプラスチックシートを成形したものであり、底板部１４と、その外周縁に立設した保護周壁部１３とが一体に形成されている。また、底板部１４の中央付近には、スプール１０の一端開口部を嵌合保持するためのスプール保持部１５が隆起して設けてある。
【００２３】
ボンディングワイヤを巻回したスプールを収納する際には、ケース本体のスプール保持部１５にボンディングワイヤを巻回したスプール１０の下端開口部を嵌合させて保持した後、市販の包装機を用いたオーバーラップシュリンク包装によりカバー１２を形成した。即ち、ケース本体全体を透明ポリエチレン製の熱収縮フィルムで包み込むようにフィルム両端縁を重ね合わせて被覆し、１２０〜１３０℃に加熱して収縮と同時にシールした。
【００２４】
図１から分るように、ケース本体１１の保護周壁部１３がスプール１０とほぼ同じ高さになっているため、下端開口部をスプール保持部１５に嵌合保持されたスプール１０は、同時にその上端をカバー１２で押さえられ、確実に保持されている。しかも、スプール１０に巻回されたボンディングワイヤは、間隔をおいて外周縁に立設したスプール１０とほぼ同じ高さの保護周壁部１３によって保護されている。
【００２５】
また、このスプールケースからスプール１０に巻回されたボンディングワイヤを取り出す場合には、手でカバー１２を切断除去するだけで簡単に取り出すことができる。
【００２６】
実施例２
上記実施例１で用いた一体型のケース本体に代え、別体型のケース本体を図３及び図４に示す。このケース本体は、別々に作製した底板部１７と保護周壁部１６とを組み合わせたものである。保護周壁部１６の高さはスプールの高さに合わせて設定する必要があるが、底板部１７と保護周壁部１６を別体にしたケース本体では高さの高い保護周壁部１６の製作が容易であり、コストの低減を図ることができる。
【００２７】
このケース本体においては、底板部１７は図４（ａ）に示すように略平板状であって、その中央部にスプール保持部１５が隆起して設けてあり、また外周に沿って保護周壁部１６を固定するための係止溝１７ａが形成してある。一方、保護周壁部１６は水平方向の断面形状が係止溝１７ａに一致した筒状であり、係止溝１７ａへの嵌合を容易にするため一部に垂直方向のスリット１６ａが形成してある。尚、このスリット１６ａは必ずしも設ける必要はない。
【００２８】
これらを別々に製作した後、保護周壁部１６を底板部１７の係止溝１７ａに差し込んでケース本体を組み立てる。得られたケース本体にスプールを嵌合保持した後、熱収縮フィルムによるカバーの形成は実施例１と同様の方法により実施することができる。また、カバーを切断除去するだけで、ボンディングワイヤをスプールごと簡単に取り出すことができる。
【００２９】
実施例３
図５に示すスプールケースは、ケース本体は実施例１と同じであるが、開封作業を容易にするため、予めミシンメ目を設けた熱収縮フィルムを用いて包装することにより、カバー１２ａに開封用ミシン目１８が施されている。従って、図６に示すように、この開封用ミシン目１８に沿ってカバー１２ａを簡単に切断し、スプールケースを開封することができる。
【００３０】
実施例４
図７に示すスプールケースは、ケース本体は実施例１と同じであるが、開封作業を容易にするため、予め開封用テープ１９を設けた熱収縮フィルムを用いて包装することにより、カバー１２ｂに開封用テープ１９が施されている。従って、図８に示すように、この開封用テープ１９の開封端１９ａを引っ張ることによって、開封用テープ１９に沿ってカバー１２ｂを簡単に切断し、スプールケースを開封することができる。
【００３１】
尚、上記実施例では熱収縮フィルムの種類及び包装方法について一例のみを示したが、他の種類の熱収縮フィルム及び包装方法を用いて本発明を達成することは可能であり、本発明の技術範囲が上記実施例に限定されるものでないことは言うまでも無い。
【００３２】
【発明の効果】
本発明によれば、従来のスプールケースに使用されていたプラスチック製の蓋体に代えて、熱により自在に変形収縮し且つ切断除去が容易である熱収縮フィルムを用い、これを収縮シールさせてケース本体を覆うカバーとしているので、従来問題であった蓋体の取り外し作業が無くなり、強い力を必要とせず簡単にカバーを破って除去して、ボンディングワイヤを傷付けることなく安全に取り出すことができる。
【００３３】
また、スプールケースには収納保持したスプールの高さとほぼ同じ高さの保護周壁部を形成してあるので、スプールケースに強い外力が加わった場合にも内部に収納されたボンディングワイヤの損傷を防止することができ、持ち運びも容易である。
【００３４】
しかも、カバーを透明又は半透明な熱収縮フィルムで構成することにより、内部に保持したボンディングワイヤを簡単に視認し及びその種類を識別することができ、また着色した熱収縮フィルムを用いて製品種別ごとにカバーを色分けすることもできる。更に、熱収縮フィルムを収縮シールさせてカバーとすることによって、材料費の低下及び作業効率の向上が達成でき、コストダウンを図ることができる。
【図面の簡単な説明】
【図１】本発明のスプールケースの一具体例を示す概略の断面図である。
【図２】本発明のスプールケースに用いる一体型のケース本体の斜視図である。
【図３】本発明のスプールケースに用いる別体型のケース本体の斜視図である。
【図４】別体型のケース本体であり、（ａ）は底板部及び（ｂ）は保護周壁部を示す斜視図である。
【図５】本発明の開封用ミシン目を有するカバーを備えたスプールケースを示す概略の斜視図である。
【図６】図５のスプールケースの開封用ミシン目に沿ってカバーの一部を取り除いた状態を示す概略の斜視図である。
【図７】本発明の開封用テ−プを有するカバーを備えたスプールケースを示す概略の斜視図である。
【図８】図７のスプールケースの開封用テープに沿ってカバーの一部を取り除いた状態を示す概略の斜視図である。
【図９】従来のスプールケースを示す側面図である。
【図１０】従来のスプールケースの容器本体を示す平面図である。
【図１１】従来の蓋体と容器本体を引き離す状態を示す側面図である。
【符号の説明】
１    容器本体
２    蓋体
１０    スプール
１１    ケース本体
１２    カバー
１３、１６    保護周壁部
１４、１７    底板部
１５    スプール保持部
１８    開封用ミシン目
１９    開封用テープ
【図１】
0003705218.tif 000002
【図２】
0003705218.tif 000003
【図３】
0003705218.tif 000004
【図４】
0003705218.tif 000005
【図５】
0003705218.tif 000006
【図６】
0003705218.tif 000007
【図７】
0003705218.tif 000008
【図８】
0003705218.tif 000009
【図９】
0003705218.tif 000010
【図１０】
0003705218.tif 000011
【図１１】
0003705218.tif 000012